(57)【要約】      （修正有）【課題】樹脂製等の袋に詰められたペースト状の食品等を短時間で安全に無駄なく絞り出すことができる絞り出し器を提供する。【解決手段】引止めピンと脱落防止ピンを備えた架台に丸棒を乗せペースト状の物質が入った袋を丸棒に懸ける、その上からＵ字型のカバーを被せ組み合わせた状態で引止めピンで固定し袋を引き抜くことで内容物を絞り出す構造にすると共に引止めピンはＬ字型に曲げてありその引止めピンの下に丸棒とカバーを組み合わせて挟み込み固定することで道具を使う事無く簡単に脱着を可能にした。【選択図】図３
0003154459.tif 000002
【実用新案登録請求の範囲】
【請求項１】
本考案の絞り機はペースト状物質の入った袋を丸棒とカバーの間を安全に安定した状態で通過させることが重要であるため丸棒とカバーを安定させる架台を設け、その架台に袋を引っ張る張力を受止めると共に丸棒とカバーが容易に脱着可能な引止めピン・脱落防止ピンを設け作業の効率化と安定を図った構造としたところを特徴とする。
【考案の詳細な説明】
【技術分野】
【０００１】  本考案は、樹脂製等の袋に詰められたペースト状の物質を取り出す方式に関するものである。
【背景技術】
【０００２】  パン、ケーキ、サンドイッチ等の中小加工製造業においては袋詰め食材を使用する時の食材取り出し方法として次の３通りに集約している、袋の一端を切り欠き手で絞り出す、袋の面を切り開きゴムへら等ですくい取る、平らな面に置いて麺棒等でしごき出す、前述のいずれの方法でも時間がかかり、袋内、周りに残存物付着するので作業後の清掃にも時間がかかる。
【先行技術文献】
【特許文献】
【０００３】  平成５年１月以降現在までペースト状、クリーム状物質に関する技術の出願件数は、特許、実用新案とも０件でした。
【考案の概要】
【考案が解決しようとする課題】
【０００４】  袋詰め食材の取り出し時に袋に付着し十分に取り出しきれない残存物は内容量の３パーセント以下に保持しなければならない、この条件を維持する為には肉体的負担は大きく、精神的な油断は経済的負担にも影響する、廃棄物も多くなり職場の衛生管理面も負担が重くなる、前述の点を軽減、解決しようとするものである。
【課題を解決するための手段】
【０００５】  本考案は、架台に丸棒を懸けその丸棒に袋の一端を懸けその上からカバーを被せ、その丸棒、袋、カバーを一体にして架台で支持し、袋の反対の一端を開封し、支持した側から袋を引っ張り抜き取る。内容物は袋が丸棒とカバーの間を摺り抜けるとき開封し一方から絞り出され受け皿に溜まる、このように一連の作業は単純であり非力な女性でも対応が可能になり課題である肉体的負担、経済的負担、衛生管理面の負担も軽減し問題点は解決する。
【考案の効果】
【０００６】  試作品による運用の結果従来の方法で取り出しにかかる時間は１０袋３０分から４０分かかっていたが１０袋１０分以下に短縮、残存内容物は目標３パーセント以下が２パーセント未満となり使用済みの袋には残存物皆無に等しく、極少量の付着物は丸棒とカバーの１部分のみとなり通常の使用後の洗浄でよく、解決しようとする課題である肉体的負担で考えられる作業時間の短縮、腱鞘炎発生の不安もなくなり、経済的負担で考えられる食材の無駄の軽減、衛生管理面の負担のいずれの点についても解決している。
【図面の簡単な説明】
【０００７】
【図１】本考案の袋入りペースト状物質の絞り出し機の実施例を示す平面図である
【図２】本絞り機の断面図である
【図３】本絞り機の一部切欠断面図であり作業時の袋の通過線を表す
【考案を実施するための形態】
【０００８】  架台の引止めピン内に丸棒をセットし、その上に袋の一端を懸けその上からカバーを被せた状態で引止めピンの内側に固定し、袋のもう一端を開封して引っ張り抜く、この際丸棒には袋の重量と引っ張る力により下方引き下げる力が加わりカバーと丸棒の間の隙間が無くなるため袋だけが通過し内容物は開封した側から下方に絞り出される。
【実施例】
【０００９】  以下添付図面に従って一実施例を説明する。１はステンレス等を素材にした表面の滑らかな丸棒、２はステンレス等を素材にして端部は滑らかにし、曲げ加工の入角は丸みを持たせたカバー、３は架台に固定し、丸棒に掛かる力を受止めると共に丸棒・カバーが上部に外れるのを防止する引止めピン、４は丸棒・カバーの脱落防止のピン、５は引止めピン・脱落防止ピンを備え安全に安定した作業環境を確保する架台、６、は架台全体に掛かる負荷を支える基盤、【００１０】２ａは絞り作業時に２の位置から移動した状態、７は絞り作業時の袋の通過線を表す。
【符号の説明】１  丸棒
２  カバー
３  丸棒・カバーの引止めピン
４  丸棒・カバーの脱落防止ピン
５  架台
６  架台基盤
７  袋の通過線
【図１】
0003154459.tif 000003
【図２】
0003154459.tif 000004
【図３】
0003154459.tif 000005
【手続補正書】
【提出日】平成21年6月11日(2009.6.11)
【手続補正２】
【補正対象書類名】明細書
【補正対象項目名】０００５
【補正方法】変更
【補正の内容】
【０００５】  本考案は、架台に丸棒を懸けその丸棒に袋の一端を懸けその上からカバーを被せ、その丸棒、袋、カバーを一体にして架台で支持し、袋の反対の一端を開封し、支持した側から袋を引っ張り抜きとる。内容物は袋が丸棒とカバーの間を摺り抜けるとき開封した一方から絞り出され受け皿に溜まる、このように一連の作業は単純であり非力な女性でも対応が可能になり課題である肉体的負担、経済的負担、衛生管理面の負担も軽減し問題点は解決する。
【手続補正３】
【補正対象書類名】明細書
【補正対象項目名】０００７
【補正方法】変更
【補正の内容】
【０００７】
【図１】本考案の、袋入りペースト状物質の絞り出し器の実施例を示す平面図である
【図２】本絞り器の断面図である
【図３】本絞り器の一部切欠断面図であり作業時の袋の通過線を表す
【手続補正４】
【補正対象書類名】明細書
【補正対象項目名】０００８
【補正方法】変更
【補正の内容】
【０００８】  架台に懸けた丸棒の上に袋の一端を懸けその上からカバーを被せた状態で引止めピンの内側に固定し、袋のもう一端を開封し袋を引っ張り抜く、この際丸棒には袋の重量と引っ張る力により下方に引き下げる力が加わり、上からはカバーに引止めピンの押さえる力が加わっているのでカバーと丸棒の隙間が狭くなるため袋だけが通過し内容物は開封した側から下方にに絞り出される
【手続補正５】
【補正対象書類名】図面
【補正対象項目名】全図
【補正方法】変更
【補正の内容】
【図１】
0003154459.tif 000006
【図２】
0003154459.tif 000007
【図３】
0003154459.tif 000008
【手続補正書】
【提出日】平成21年7月23日(2009.7.23)
【手続補正１】
【補正対象書類名】実用新案登録請求の範囲
【補正対象項目名】請求項１
【補正方法】変更
【補正の内容】
【請求項１】
引止めピンと脱落防止ピンを備えた架台に丸棒を乗せペースト状の物質が入った袋を丸棒に懸ける、その上からＵ字型のカバーを被せ組み合わせた状態で引止めピンで固定し袋を引き抜くことで内容物を絞り出す構造にすると共に引止めピンはＬ字型に曲げてありその引止めピンの下に丸棒とカバーを組み合わせて挟み込み固定することで道具を使う事無く簡単に脱着を可能にしたところを特徴とする袋入りペースト状物質の絞り出し器